(57)【要約】【課題】印刷部あるいは透視領域を被う保護シートの剥離性を満足させることができる印刷板を提供する。【解決手段】無色透明な基板２２の裏面側に設けられた網状の調光層２８（印刷部）と、透視領域２７と、基板２２の縁部に設けられた網状の網点２９（間欠印刷部）とを備える。【選択図】図３
2006085010.tif 000002
【特許請求の範囲】
【請求項１】
光透過性を有する基板に設けられた印刷部と、前記基板の縁部に設けられ凹凸を成す間欠印刷部と、透視領域とを有することを特徴とする印刷板。
【請求項２】
基板に設けられた印刷部と、前記基板の縁部に設けられ凹凸を成す間欠印刷部とを有することを特徴とする印刷板。
【請求項３】
光透過性を有する基板の表面側に設けられ表示部を形成するための透過性の表示層と、前記表示部および透視領域を除いて設けられ地部となる地色層と、前記基板の裏面側に設けられ裏面側から前記表示部を透過しようとする光の量を調整する印刷部と、前記基板の縁部に設けられ前記印刷部と同色で凹凸を成す間欠印刷部とを有することを特徴とする印刷板。
【請求項４】
前記間欠印刷部が網状からなることを特徴とする請求項１から請求項３のいずれかに記載の印刷板。
【発明の詳細な説明】
【技術分野】
【０００１】
本発明は、印刷が施された印刷板に関するものである。
【背景技術】
【０００２】
例えば、車両用の計器に用いられる表示板には、車両の速度を示す表示部などが印刷してある。この表示板は計器を構成する一部品であり、最終的には計器として組み付けられるが、印刷された箇所や透視領域があった場合、計器として組み付けられるまでの間に、特に印刷箇所や透視領域が傷付いたり、汚れたりすることを防ぐために、表示板を粘着剤付の保護シートで被っている。この保護シートは計器として組み付けられる直前に表示板から剥がされるが、粘着力が強すぎると剥がし難い。逆に粘着力が弱すぎると組み付け前に剥がれてしまうことがある。
【０００３】
この様な点を改善するために、例えば下記特許文献１に記載されているように、粘着テープ（基材）（２）に塗布する粘着剤（１）をすじ状とし、このすじ状の粘着剤（１）の幅を変えたり、塗布量を変えることによって粘着テープ（２）の剥離力（あるいは粘着力）を適宜設定することが考えられる。
【特許文献１】特開平５−３２０５９０号公報
【発明の開示】
【発明が解決しようとする課題】
【０００４】
しかしながら、粘着テープ（保護シート）の剥離力は表示板（被粘着面）の形状・大きさ（面積）などによって異なってくる。従って、個々の表示板に合った粘着テープを用意することが出来ればベストだが、粘着剤の形状や種類を変えることは作業が煩雑で粘着テープの種類も増え、コストアップの要因となってしまう。
【０００５】
本発明はこの様な点に鑑みなされたもので、印刷部あるいは透視領域を被う保護シートの剥離性を満足させることができる印刷板を提供することを目的とする。
【課題を解決するための手段】
【０００６】
本発明は前記目的を達成するため、光透過性を有する基板に設けられた印刷部と、前記基板の縁部に設けられ凹凸を成す間欠印刷部と、透視領域とを有するものである。
【０００７】
また、基板に設けられた印刷部と、前記基板の縁部に設けられ凹凸を成す間欠印刷部とを有するものである。
【０００８】
また、光透過性を有する基板の表面側に設けられ表示部を形成するための透過性の表示層と、前記表示部および透視領域を除いて設けられ地部となる地色層と、前記基板の裏面側に設けられ裏面側から前記表示部を透過しようとする光の量を調整する印刷部と、前記基板の縁部に設けられ前記印刷部と同色で凹凸を成す間欠印刷部とを有するものである。
【０００９】
また、前記間欠印刷部が網状からなるものである。
【発明の効果】
【００１０】
印刷部あるいは透視領域を被う保護シートの剥離性を満足させることができる印刷板を得ることができる。
【発明を実施するための最良の形態】
【００１１】
本発明の印刷板を適用した車両用の計器を実施形態として説明する。図１は計器の部分断面図である。図２は計器に用いられる印刷板の正面図であり、図３は印刷板の裏面図である。図４は印刷板の断面図（図２に於けるＡ−Ａ断面）であり、図５は印刷板の裏面側を被う保護シートの断面図である。
【００１２】
計器は、例えば速度計１を備えており、硬質な回路基板２と、この回路基板２の裏面側に回路基板２と導通状態で装着され、回路基板２を貫通して前方に延びる回動軸３を有する計器本体４と、回動軸３の先端側に固着され指示部５を有する指針６と、指示部５の後方に配置され指示部５の動作に対応する表示部７を設けた印刷板８と、印刷板８と回路基板２との間に配置され印刷板８を支持する支持部材９を備えている。
【００１３】
また、回路基板２の裏面側を覆う合成樹脂製のカバー１０と、印刷板８の周縁に沿った前方側に配置され印刷板８の可視領域を定める開口部１１を有する例えば黒色の見返し部材１２と、印刷板８や見返し部材１２などの前方側を被う無色透明な透視板１３と、回路基板２上に実装され指針６の指示部５を照明する光源としての指針用発光ダイオード１４と、印刷板８の表示部７を照明する光源としての印刷板用発光ダイオード１５を備えている。
【００１４】
指針６は、無色透明な合成樹脂からなる指示部５の他に、指針軸１６と、指示部５の基部周囲（指針軸１６の上方）を覆う遮光部材としての黒色の指針キャップ１７を備えている。指示部５の裏面には白色の箔（図示せず）がホットスタンプされており、周囲が明るい時は指示部５が白色で視認され、夜間など周囲が暗い時に、例えば赤色で発光する指針用発光ダイオード１４を点灯させると、指示部５が赤色で光輝するようになっている。
【００１５】
支持部材９は、遮光性のある白色の合成樹脂からなり、回動軸３の周囲に配置された指針用発光ダイオード１４と印刷板用発光ダイオード１５との間に立設した略円筒形の筒部１８と、この筒部１８の周囲に設けられ、印刷板用発光ダイオード１５からの光を周囲に反射する第１の反射部１９と、印刷板用発光ダイオード１５周辺から筒部１８を取り巻くように印刷板８の周囲側に向かって傾斜して形成された第２の反射部２０と、印刷板８の周縁側に対応して形成された周壁２１などを有している。印刷板８は筒部１８と周壁２１に支持されている。
【００１６】
印刷板８は、光透過性である無色透明な基板２２の表面側に、車両の速度などを現す目盛，数字などの表示部７を形成するための例えば白色で透過性の表示層２３を印刷した後、表示部７箇所を除いて地部２４となる例えば黒色（不透過性）の地色層２５を印刷形成してある（図２に於いては、表示部７を黒色で、地部２４を無色で示す）。また、表示部７（表示層２３）および地部２４（地色層２５）を被って透明な保護層２６が印刷してある。この保護層２６は、外光による反射を抑えて印刷板８の視認性を低下させないために設けるものである。
【００１７】
２７は、保護層２６は設けられているが表示層２３および地色層２５は設けられていない透視領域（本実施形態に於いては透明である）である。詳細は図示しないが、印刷板８の裏面側には例えば車両の走行距離などをデジタル的に表示する液晶表示器が配置してあり、透視領域２７を透してデジタル表示部が視認できるようになっている。
【００１８】
基板２２の裏面には、図３に示す様に印刷部としての黒色の調光層２８が不規則に設けてある。詳細は後述するが、調光層２８は表示部７（表示層２３）を透過する光の量を調整（制限）するものであり、例えば大小の丸形や角形の点（細かな印）を網状に印刷したものである（部分的にべた印刷する場合もある）。また、基板２２裏面の下側（透視領域２７の下方）には間欠印刷部としての網点２９が設けてある。この網点２９は調光層２８と同様、黒色で丸形や角形の点（細かな印）を網状に印刷したものである。なお、網点２９は基板２２の縁部であればいずれの箇所に設けても良い。また、基板２２の一部分であって良いし、ほぼ全周の縁部（周縁）に設けても良い。
【００１９】
この様に構成された計器の印刷板８は、周囲が明るい時は黒色の地部２４上に白色の表示部７が視認される。また、夜間など周囲が暗い時、例えば赤色で発光する印刷板用発光ダイオード１５を点灯させると、印刷板用発光ダイオード１５からの光は直接に、あるいは第１の反射部１９に反射した後、第２の反射部２０で反射してそれぞれ印刷板８の裏面側を照射する。この光によって表示部７が赤色で透過照明される。
【００２０】
この際、黒色の調光層２８が設けられた表示層２３（表示部７）を透過しようとする光は調光層２８によって制限されるため、透過輝度が下がる。すなわち、調光層２８は印刷板８に設けられた表示部７の透過輝度をほぼ均一にして視認性を良好にするものである。従って、印刷板用発光ダイオード１５の位置にもよるが、黒点の大きさや密度は箇所によって異なるし、調光層２８が設けられていない表示部７箇所もある。
【００２１】
次に、保護シートＳについて説明する。保護シートＳは、例えばポリエチレン樹脂からなる透明フィルムＳ１の一面に粘着剤Ｓ２が塗布されたものであり、印刷後の印刷板８面を被うものである。具体的には、粘着剤Ｓ２が塗布された面が印刷板８側となるようにして保護シートＳを被った後、プレス抜きして所望する印刷板８形状（本実施形態に於いては、図２に示す様に丸形）とするものである。そして、印刷板８を計器として組み付ける直前に保護シートＳを剥がすものである。なお、印刷板８の表面側も保護シートで被うようにしているが、その説明は省略する。
【００２２】
前述した様に、基板２２の縁部に網点２９が設けてあるため、この箇所は印刷（網点２９）の有無によって細かな凹凸が形成されている。従って、保護シートＳと印刷板８の網点２９箇所との間には隙間が部分的にでき、印刷が全く無い箇所、あるいはべた印刷されている箇所に比べて保護シートＳの粘着力が弱まり、保護シートＳを剥がし易くなる。
【００２３】
また、網点２９を設けた箇所以外の縁部は粘着力が強いため、印刷板８を組み付ける前に保護シートＳが剥がれてしまうということもない。また、網点２９を設けた箇所の保護シートＳ部分は、印刷板８に粘着される部分と粘着されない部分とが交互となるため、この箇所が特に剥がれ易いということもなく、剥離性も程良い。この様に、保護シートの粘着剤を種々変えることなく、印刷板８の印刷部（調光層２８）および透視領域２７を被う保護シートＳの剥離性を満足させることができる印刷板８を得ることができる。
【００２４】
また、調光層２８（印刷部）と網点２９（間欠印刷部）とが同色であるため、網点２９を調光層２８と同一工程で設けることができ、印刷工数を増やす必要もない。
【００２５】
なお、本実施形態に於いては間欠印刷部として網状の網点２９としたが、これに限定されるものではなく、例えば線状の間欠印刷部であっても良い。要するに、間欠印刷部とは一定領域に細かな点や線などを多数印刷し、印刷後の縁部に細かな凹凸（例えば印刷部と非印刷部とで凹凸を成す）が混在して形成されるようになっていれば良い。また、透視領域２７が無い印刷板であっても良い。
【００２６】
また、間欠印刷部の色調も任意である。例えば、本実施形態に於いては赤色で発光する印刷板用発光ダイオード１５を用いることによって表示部７が赤色で透過照明されるようにしたが、基板２２の裏面側に少なくとも表示部７に対応させて赤色の透過性着色層を印刷し、白色で発光する印刷板用発光ダイオードで表示部７が赤色で透過照明されるようにしても良く、その場合、この赤色の透過性着色層で縁部に間欠印刷部（例えば網点）を形成しても良い。
【図面の簡単な説明】
【００２７】
【図１】本発明の印刷板を適用した計器の部分断面図。
【図２】同印刷板の正面図。
【図３】同印刷板の裏面図。
【図４】同印刷板の断面図（図２に於けるＡ−Ａ断面）。
【図５】同印刷板の裏面を被う保護シートの断面図。
【符号の説明】
【００２８】
７  表示部
８  印刷板
２２  基板
２３  表示層
２４  地部
２５  地色層
２７  透視領域
２８  調光層（印刷部）
２９  網点（間欠印刷部）
Ｓ  保護シート
【図１】
2006085010.tif 000003
【図２】
2006085010.tif 000004
【図３】
2006085010.tif 000005
【図４】
2006085010.tif 000006
【図５】
2006085010.tif 000007